【手続補正書】
【提出日】平成16年6月3日(2004.6.3)
【手続補正１】
【補正対象書類名】特許請求の範囲
【補正対象項目名】全文
【補正方法】変更
【補正の内容】
【特許請求の範囲】
【請求項１】
繊維のエアレイド塊の製造において使用するためのセルロース繊維のウェットレイドウェブであって：
セルロース繊維と；
多糖、コーンシロップ、蜂蜜、糖蜜及び水素結合官能性を有する少なくとも１種の試剤を含む繊維処理組成物と；を含み、該繊維処理組成物は、前記セルロース繊維のウェットレイドウェブ内部に分布する、繊維のウェットレイドウェブ。
【請求項２】
前記繊維処理組成物は、水素結合官能性を有する少なくとも２種の試剤を含む、請求項１に記載のセルロース繊維のウェットレイドウェブ。
【請求項３】
前記セルロース繊維は木材パルプ繊維である、請求項１に記載のセルロース繊維のウェットレイドウェブ。
【請求項４】
前記繊維処理組成物は約３５重量％以下の水を含む、請求項１に記載のセルロース繊維のウェットレイドウェブ。
【請求項５】
前記ウェブは坪量が約２００g/m２〜約１０００g/m２の範囲にわたる、請求項１に記載のセルロース繊維のウェットレイドウェブ。
【請求項６】
前記多糖は、コーンシロップ、蜂蜜、デキストリン、糖蜜、デンプン、ペクチン、及びアミロースを含む群から選択される、請求項１に記載のセルロース繊維のウェットレイドウェブ。
【請求項７】
前記繊維処理組成物はコーンシロップを含む、請求項２に記載のセルロース繊維のウェットレイドウェブ。
【請求項８】
水素結合官能性を有する試剤は、アルコール、ヒドロキシ酸、及びポリカルボン酸を含む群から選択される、請求項７に記載のセルロース繊維のウェットレイドウェブ。
【請求項９】
前記水素結合官能性を有する試剤は、プロピレングリコール及びソルビトールを含む、請求項８に記載のセルロース繊維のウェットレイドウェブ。
【請求項１０】
ウェットレイドウェブ中のコーンシロップ対ソルビトールとプロピレングリコールとの合わせた重量の重量比は約１：１未満である、請求項９に記載のセルロース繊維のウェットレイドウェブ。
【請求項１１】
前記ウェットレイドウェブ中のコーンシロップ対ソルビトールとプロピレングリコールとの合わせた重量の重量比は約１：１〜約１：５の範囲にわたる、請求項１０に記載のセルロース繊維のウェットレイドウェブ。
【請求項１２】
前記コーンシロップは、処理済み繊維の乾燥重量を基準として、前記セルロース繊維のウェットレイドウェブ中に約０．０１〜約７重量％のコーンシロップ固形分の範囲にわたる量で存在する、請求項７に記載のセルロース繊維のウェットレイドウェブ。
【請求項１３】
前記水素結合官能性を有する試剤は乳酸をさらに含む、請求項９に記載のセルロース繊維のウェットレイドウェブ。
【請求項１４】
前記繊維処理組成物は乳酸ナトリウムをさらに含む、請求項１３に記載のセルロース繊維のウェットレイドウェブ。
【請求項１５】
前記水素結合官能性を有する試剤は、乳酸及びプロピレングリコールを含む、請求項８に記載のセルロース繊維のウェットレイドウェブ。
【請求項１６】
前記繊維処理組成物は乳酸ナトリウムをさらに含む、請求項１５に記載のセルロース繊維のウェットレイドウェブ。
【請求項１７】
吸収性繊維質製品であって：
セルロース繊維と；
該セルロース繊維表面の繊維処理組成物と；を含み、該繊維処理組成物は、多糖、コーンシロップ、蜂蜜、糖蜜及び水素結合官能性を有する少なくとも１種の試剤を含み、該多糖、コーンシロップ、蜂蜜及び糖蜜は、処理済みセルロース繊維の乾燥重量を基準として、繊維表面に約１０重量％未満の量で存在する、吸収性繊維質製品。
【請求項１８】
前記繊維処理組成物は、水素結合官能性を有する少なくとも２種の試剤を含む、請求項１７に記載の吸収性繊維質製品。
【請求項１９】
高吸収性粒子をさらに含む、請求項１７に記載の吸収性繊維質製品。
【請求項２０】
前記セルロース繊維は木材パルプ繊維である、請求項１７に記載の吸収性繊維質製品。
【請求項２１】
前記繊維処理組成物はコーンシロップを含む、請求項１８に記載の吸収性繊維質製品。
【請求項２２】
水素結合官能性を有する試剤は、アルコール、ヒドロキシ酸、及びポリカルボン酸を含む群から選択される、請求項２１に記載の吸収性繊維質製品。
【請求項２３】
前記水素結合官能性を有する試剤は、プロピレングリコール及びソルビトールを含む、請求項２２に記載の吸収性繊維質製品。
【請求項２４】
前記セルロース繊維表面のコーンシロップ対プロピレングリコールとソルビトールとの合わせた重量の重量比は約１：１〜約１：５の範囲にわたる、請求項２３に記載の吸収性繊維質製品。
【請求項２５】
前記コーンシロップは、処理済み繊維の乾燥重量を基準として、前記セルロース繊維表面に約０．０１〜約７重量％のコーンシロップ固形分の範囲にわたる量で存在する、請求項２４に記載の吸収性繊維質製品。
【請求項２６】
前記水素結合官能性を有する試剤は乳酸をさらに含む、請求項２３に記載の吸収性繊維質製品。
【請求項２７】
前記繊維処理組成物は乳酸ナトリウムをさらに含む、請求項２６に記載の吸収性繊維質製品。
【請求項２８】
前記水素結合官能性を有する試剤は、乳酸及びプロピレングリコールを含む、請求項２２に記載の吸収性繊維質製品。
【請求項２９】
前記繊維処理組成物は乳酸ナトリウムをさらに含む、請求項２８に記載の吸収性繊維質製品。
【請求項３０】
前記製品はおむつまたは女性用衛生製品である、請求項１７に記載の吸収性繊維質製品。
【請求項３１】
セルロース繊維のウェットレイドウェブの製造方法であって：
セルロース繊維のウェットレイドウェブを用意する工程と、
多糖、コーンシロップ、蜂蜜、糖蜜及び水素結合官能性を有する少なくとも１種の試剤を含む繊維処理組成物を前記セルロース繊維のウェットレイドウェブに施用する工程と、を含む方法。
【請求項３２】
前記繊維処理組成物はコーンシロップを含む、請求項３１に記載の方法。
【請求項３３】
前記繊維処理組成物は、水素結合官能性を有する少なくとも２種の試剤を含む、請求項３２に記載の方法。
【請求項３４】
水素結合官能性を有する試剤は、プロピレングリコール及びソルビトールを含む、請求項３３に記載の方法。
【請求項３５】
前記コーンシロップは、約１：１〜約１：５の範囲にわたるコーンシロップ対ソルビトールとプロピレングリコールとの合わせた重量の重量比で、前記セルロース繊維のウェットレイドウェブに施用される、請求項３４に記載の方法。
【請求項３６】
前記コーンシロップは、処理済み繊維の乾燥重量を基準として、約０．０１〜約７重量％のコーンシロップ固形分の範囲にわたる量で、前記セルロース繊維のウェットレイドウェブに施用される、請求項３４に記載の方法。
【請求項３７】
前記水素結合官能性を有する試剤は乳酸をさらに含む、請求項３４に記載の方法。
【請求項３８】
前記繊維処理組成物は乳酸ナトリウムをさらに含む、請求項３７に記載の方法。
【請求項３９】
前記水素結合官能性を有する試剤は、乳酸及びプロピレングリコールを含む、請求項３３に記載の方法。
【請求項４０】
前記繊維処理組成物は乳酸ナトリウムをさらに含む、請求項３９に記載の方法。
【請求項４１】
繊維のエアレイド塊の製造において使用するためのセルロース繊維のウェットレイドウェブから形成されるロールまたは梱であって：
セルロース繊維と；
多糖、コーンシロップ、蜂蜜、糖蜜及び水素結合官能性を有する少なくとも１種の試剤を含む繊維処理組成物と；を含み、該繊維処理組成物は、前記セルロース繊維のウェットレイドウェブ内部に分布し、前記ロールまたは梱中の前記セルロース繊維のウェットレイドウェブの隣接する層は、該層同士の間の接着が実質的に無い、ロールまたは梱。
【請求項４２】
前記繊維処理組成物は、水素結合官能性を有する少なくとも２種の試剤を含む、請求項４１に記載のロールまたは梱。